(57)【要約】【課題】  搭載物のケーブルを整理可能なケーブルマネジメントデバイスを提供する。【解決手段】  ケーブルマネジメントデバイス２０は第一ケーブルマネジメントアーム１００、第二ケーブルマネジメントアーム２００、及び連結棒１５０を有する。第二ケーブルマネジメントアーム２００は移動可能に第一ケーブルマネジメントアーム１００に連結されている。連結棒１５０は第一ケーブルマネジメントアーム１００と第二ケーブルマネジメントアーム２００との間に設置されている。これにより、第二ケーブルマネジメントアーム２００の第一ケーブルマネジメントアーム１００に対する展開角度は連結棒１５０により予定の範囲内に保持される。【選択図】  図１
2016213433.tif 000002
【特許請求の範囲】
【請求項１】
第一ケーブルマネジメントアーム、第二ケーブルマネジメントアーム、及び第一連結棒を備え、
前記第二ケーブルマネジメントアームは、移動可能に前記第一ケーブルマネジメントアームに連結されており、
前記第一連結棒は、前記第一ケーブルマネジメントアームと前記第二ケーブルマネジメントアームとの間に設置されており、第一部分及び第二部分を有し、
前記第一部分は、前記第一ケーブルマネジメントアームおよび前記第二ケーブルマネジメントアームの何れか一方と連結し、
前記第二部分は、前記第一ケーブルマネジメントアームおよび前記第二ケーブルマネジメントアームの何れか他方と連動し、
前記第二ケーブルマネジメントアームの前記第一ケーブルマネジメントアームに対する展開角度は、前記第一連結棒により、予定の範囲内に保持されることを特徴とするケーブルマネジメントデバイス。
【請求項２】
第三ケーブルマネジメントアームと、第四ケーブルマネジメントアームとをさらに備え、
前記第一ケーブルマネジメントアームは、第一端部を有し、
前記第二ケーブルマネジメントアームは、前記第一ケーブルマネジメントアームの第一端部の上方に枢接されている第一端部を有し、
前記第四ケーブルマネジメントアームは、前記第三ケーブルマネジメントアームの上方に枢接されており、
前記第二ケーブルマネジメントアームは、第二端部をさらに有し、
前記第三ケーブルマネジメントアームは、前記第二ケーブルマネジメントアームの第二端部の上方に枢接されていることを特徴とする請求項１に記載のケーブルマネジメントデバイス。
【請求項３】
前記第一連結棒の前記第一部分は、前記第一ケーブルマネジメントアームに枢接し、且つ前記第一連結棒は、第一案内槽を有し、前記第二ケーブルマネジメントアームは、第一案内部材が設けられており、
前記第一連結棒と前記第二ケーブルマネジメントアームとは、前記第一案内部材により、移動可能に前記第一案内槽内に取り付けられており、相対移動し、
前記第一連結棒の前記第二部分は、前記第一案内槽の予定位置に係止部位を形成し、
前記第一案内部材は、前記第一案内槽内で移動し、且つ移動範囲が、前記第一連結棒の前記第一部分と前記第一連結棒の前記第二部分との間であることを特徴とする請求項１に記載のケーブルマネジメントデバイス。
【請求項４】
前記第二ケーブルマネジメントアームと前記第三ケーブルマネジメントアームとの間に設置されている第二連結棒をさらに備え、
前記第二連結棒は、第一部分及び第二部分を有し、
前記第二連結棒の第一部分は、前記第二ケーブルマネジメントアームおよび前記第三ケーブルマネジメントアームの何れか一方と連結し、
前記第二連結棒の第二部分は、前記第二ケーブルマネジメントアームと前記第三ケーブルマネジメントアームの何れか他方と連動し、
前記第二連結棒は、第二案内槽を有し、
前記第三ケーブルマネジメントアームは、第二案内部材が設けられており、
前記第二連結棒と前記第三ケーブルマネジメントアームは、前記第二案内部材により前記第二案内槽内に移動可能に取り付けられており、相対移動し、
前記第三ケーブルマネジメントアームの前記第二ケーブルマネジメントアームに対する展開角度は、前記第二連結棒により予定の範囲内に保持されており、
前記第二連結棒の第二部分は、前記第二案内槽の予定位置に位置する係止部位を形成し、
前記第二案内部材は、前記第二案内槽内で移動し、且つ移動範囲が、前記第二連結棒の第一部分と前記第二連結棒の第二部分との間であることを特徴とする請求項２に記載のケーブルマネジメントデバイス。
【請求項５】
前記第三ケーブルマネジメントアームと前記第四ケーブルマネジメントアームとの間に設置されている第三連結棒をさらに備え、
前記第三連結棒は、第一部分及び第二部分を有し、
前記第三連結棒の第一部分は、前記第三ケーブルマネジメントアームおよび前記第四ケーブルマネジメントアームの何れか一方と連結し、
前記第三連結棒の第二部分は、前記第三ケーブルマネジメントアームおよび前記第四ケーブルマネジメントアームの何れか他方と連動し、
前記第三連結棒は、第三案内槽を有し、
前記第四ケーブルマネジメントアームは、第三案内部材が設けられており、
前記第三連結棒と前記第四ケーブルマネジメントアームは、前記第三案内部材により、前記第三案内槽内に移動可能に取り付けられており、相対移動し、
前記第四ケーブルマネジメントアームの前記第三ケーブルマネジメントアームに対する展開角度は、前記第三連結棒により、予定の範囲内に保持されており、
前記第三連結棒の第二部分は、第三案内槽の予定位置に係止部位を形成し、
前記第三案内部材は、前記第三案内槽内で移動し、且つ移動範囲が、前記第三連結棒の第一部分と前記第三連結棒の第二部分との間であることを特徴とする請求項２に記載のケーブルマネジメントデバイス。
【請求項６】
一対のスライドレールキットに用いられ、第一ケーブルマネジメントアーム、第二ケーブルマネジメントアーム、第三ケーブルマネジメントアーム、第一連結棒、および、第二連結棒を備え、
前記第一ケーブルマネジメントアームは、第一端部及び第二端部を有し、各スライドレールキットにそれぞれ連結されており、
前記第二ケーブルマネジメントアームは、第一端部及び第二端部を有し、前記第二ケーブルマネジメントアームの第一端部は、前記第一ケーブルマネジメントアームの第一端部に移動可能に連結されており、
前記第三ケーブルマネジメントアームは、前記第二ケーブルマネジメントアームの第二端部に移動可能に連結されており、
前記第一連結棒は、前記第一ケーブルマネジメントアームと前記第二ケーブルマネジメントアームとの間に設置されており、
前記第一連結棒は、第一部分及び第二部分を有し、
前記第一部分は、前記第一ケーブルマネジメントアームおよび前記第二ケーブルマネジメントアームの何れか一方と連結し、
前記第二部分は、前記第一ケーブルマネジメントアームおよび前記第二ケーブルマネジメントアームの何れか他方と連動し、
前記第二ケーブルマネジメントアームの前記第一ケーブルマネジメントアームに対する展開角度は、前記第一連結棒により、予定の範囲内に保持されており、
前記第二連結棒は、前記第二ケーブルマネジメントアームと前記第三ケーブルマネジメントアームとの間に設置されており、第一部分及び第二部分を有し、
前記第二連結棒の第一部分は、前記第二ケーブルマネジメントアームおよび前記第三ケーブルマネジメントアームの何れか一方と連結し、
前記第二連結棒の第二部分は、前記第二ケーブルマネジメントアームおよび前記第三ケーブルマネジメントアームの何れか他方と連動することを特徴とするケーブルマネジメントデバイス。
【請求項７】
第四ケーブルマネジメントアームをさらに備え、
前記第三ケーブルマネジメントアームは、対応する第一端部および第二端部を有し、
前記第三ケーブルマネジメントアームの第二端部は、前記第二ケーブルマネジメントアームの第二端部の上方に移動可能に連結されており、
前記第四ケーブルマネジメントアームは、前記第三ケーブルマネジメントアームの第一端部の上方に移動可能に連結されていることを特徴とする請求項６に記載のケーブルマネジメントデバイス。
【請求項８】
取り外し可能に前記第一ケーブルマネジメントアームおよび前記第四ケーブルマネジメントアームの何れかに取り付けられている係止部材をさらに備え、
前記係止部材は、所定の高度を有し、且つ第二ケーブルマネジメントアームと前記第三ケーブルマネジメントアームとが、前記第一ケーブルマネジメントアームに対して移動し収納される時、係止作用を提供することを特徴とする請求項７に記載のケーブルマネジメントデバイス。
【請求項９】
前記係止部材に設置されている弾性片をさらに備え、
前記第一ケーブルマネジメントアームと前記第四ケーブルマネジメントアームとは、前記係止部材の取り付けに用いられる複数の取付部を有し、
前記係止部材は、複数の孔を有し、
前記弾性片は、複数の前記孔の内の一つに対応し、
各前記孔は、大径孔部および小径孔部を有し、大径孔部と小径孔部とが相互に連通しており、
前記弾性片は、複数の前記孔の大径孔部と小径孔部とが交わる位置に設置する係止壁を有することを特徴とする請求項８に記載のケーブルマネジメントデバイス。
【請求項１０】
一対のスライドレールキットを提供することで搭載物をラックの二対のラック柱に取り付けるラック式システムに適用するケーブルマネジメントデバイスであって、
第一ケーブルマネジメントアーム、第二ケーブルマネジメントアーム、第三ケーブルマネジメントアーム、および、第四ケーブルマネジメントアームを備え、
各前記スライドレールキットは、第一レール、縦方向に前記第一レールに相対して移動する第二レールを有し、前記第一レールが対応する一対のラック柱に設置されており、前記第二レールに前記搭載物が取り付けられており、
前記第一ケーブルマネジメントアームは、対応する第一端部と第二端部を有し、前記第一端部および前記第二端部が、各前記スライドレールキットの前記第一レールにそれぞれ連結されており、
前記第二ケーブルマネジメントアームは、対応する第一端部と第二端部を有し、前記第二ケーブルマネジメントアームの第一端部が、前記第一ケーブルマネジメントアームの第一端部に移動可能に連結されており、
前記第三ケーブルマネジメントアームは、対応する第一端部と第二端部を有し、前記第三ケーブルマネジメントアームの第二端部が、前記第二ケーブルマネジメントアームの第二端部に移動可能に連結されており、
前記第四ケーブルマネジメントアームは、対応する第一端部と第二端部を有し、前記第四ケーブルマネジメントアームの第一端部が、前記第三ケーブルマネジメントアームの第一端部に移動可能に連結されており、前記第四ケーブルマネジメントアームの第二端部が、一対の前記スライドレールキットの第二レールの何れか一方および前記搭載物の何れか一方に連結されていることを特徴とするケーブルマネジメントデバイス。
【発明の詳細な説明】
【技術分野】
【０００１】
本発明はケーブルマネジメントデバイスに関し、搭載物（電子設備など）のケーブルを整理可能なケーブルマネジメントデバイスに関する。
【背景技術】
【０００２】
一般に、スライドレールキットは、少なくとも二個以上のレール部材を有する。
これらレール部材が、相対するように縦方向に移動することで、スライドレールキットは延伸或いは収納の状態を呈する。
【０００３】
ラック式システム中では、電子設備（サーバなど）は、一対のスライドレールキットによりラックの二対のラック柱上に取り付けられる。
これにより、電子設備は一対のスライドレールキットにより、ラック内からラック外へと引き出され、或いはラック外からラック内へと引き入れられる。
【０００４】
電子設備のケーブルは通常は、ケーブルマネジメントアーム（Ｃａｂｌｅ  Ｍａｎａｇｅｍｅｎｔ  Ａｒｍ、ＣＭＡ）に収容される。
これにより、電子設備が一対のスライドレールキットにより引き出され、或いは引き入れられる過程において、ケーブルマネジメントアームによりケーブルは整頓された状態を保持することができる。
特許文献１、特許文献２、特許文献３、特許文献４、特許文献５、特許文献６、特許文献７に、ケーブルマネジメントアームの関連技術を示す。
【先行技術文献】
【特許文献】
【０００５】
【特許文献１】米国特許第ＵＳ６９４５５０４Ｂ２号明細書
【特許文献２】米国特許第ＵＳ７７１２６１５Ｂ２号明細書
【特許文献３】米国特許第ＵＳ８２３１０１４Ｂ２号明細書
【特許文献４】米国特許第ＵＳ６０７０７４２号明細書
【特許文献５】米国特許第ＵＳ６９７２９４９Ｂ１号明細書
【特許文献６】米国特許第ＵＳ７２５８５８３Ｂ１号明細書
【特許文献７】米国特許第ＵＳ２０１２/０１８８７２５Ａ１号明細書
【発明の概要】
【発明が解決しようとする課題】
【０００６】
本発明は、搭載物のケーブルを整理可能なケーブルマネジメントデバイスを提供する。
【課題を解決するための手段】
【０００７】
本発明によるケーブルマネジメントデバイスは、第一ケーブルマネジメントアーム、第二ケーブルマネジメントアーム、及び第一連結棒を有する。
第二ケーブルマネジメントアームは、移動可能に第一ケーブルマネジメントアームに連結される。
第一ケーブルマネジメントアームと第二ケーブルマネジメントアームとの間に設置される第一連結棒をさらに有し、第一連結棒は、第一部分及び第二部分を有する。
第一部分は、第一ケーブルマネジメントアームと第二ケーブルマネジメントアームの内の何れか一方と連結する。
第二部分は、第一ケーブルマネジメントアームと第二ケーブルマネジメントアームの内の何れか他方と連動する。
これにより、第二ケーブルマネジメントアームの第一ケーブルマネジメントアームに対する展開角度は、第一連結棒により、予定の範囲内に保持される。
【０００８】
好ましくは、第一ケーブルマネジメントアームは、第一端部を有し、第二ケーブルマネジメントアームは、第一ケーブルマネジメントアームの第一端部の上方に枢接する第一端部を有する。
【０００９】
好ましくは、第三ケーブルマネジメントアームと第四ケーブルマネジメントアームをさらに有する。
第四ケーブルマネジメントアームは、第三ケーブルマネジメントアームの上方に枢接し、第二ケーブルマネジメントアームは、第二端部をさらに有し、第三ケーブルマネジメントアームは、第二ケーブルマネジメントアームの第二端部の上方に枢接する。
【００１０】
好ましくは、第一連結棒の第一部分は、第一ケーブルマネジメントアームに枢接する。
且つ第一連結棒と第二ケーブルマネジメントアームの内の何れかは、第一案内槽をさらに有し、第一連結棒と第二ケーブルマネジメントアームは、第一案内部材により、移動可能に第一案内槽内に取り付けられ、相対するように移動する。
【００１１】
好ましくは、第一連結棒の第二部分は、第一案内槽の予定位置に係止部位を形成する。
これにより、第一案内部材は、第一案内槽内で移動し、且つ移動範囲は、第一連結棒の第一部分と第一連結棒の第二部分との間である。
【００１２】
好ましくは、第二ケーブルマネジメントアームと第三ケーブルマネジメントアームとの間に設置される第二連結棒をさらに有する。
第二連結棒は、第一部分及び第二部分を有する。
第二連結棒の第一部分は、第二ケーブルマネジメントアームと第三ケーブルマネジメントアームの内の何れか一方と連結する。
第二連結棒の第二部分は、第二ケーブルマネジメントアームと第三ケーブルマネジメントアームの何れか他方と連動し、且つ第二連結棒と第三ケーブルマネジメントアームの内の何れか一つは、第二案内槽をさらに有する。
第二連結棒と第三ケーブルマネジメントアームは、第二案内部材により第二案内槽内に移動可能に取り付けられ、相対するように移動し、これにより、第三ケーブルマネジメントアームの第二ケーブルマネジメントアームに対する展開角度は、第二連結棒により予定の範囲内に保持される。
【００１３】
好ましくは、第二連結棒の第二部分は、第二案内槽の予定位置に位置される係止部位を形成し、これにより第二案内部材は、第二案内槽内で移動し、且つ移動範囲は、第二連結棒の第一部分と第二連結棒の第二部分との間である。
【００１４】
好ましくは、第三ケーブルマネジメントアームと第四ケーブルマネジメントアームとの間に設置される第三連結棒をさらに有する。
第三連結棒は、第一部分及び第二部分を有する。
第三連結棒の第一部分は、第三ケーブルマネジメントアームと第四ケーブルマネジメントアームの内の何れか一方と連結する。
第三連結棒の第二部分は、第三ケーブルマネジメントアームと第四ケーブルマネジメントアームの何れか他方と連動し、且つ第三連結棒と第四ケーブルマネジメントアームの内の何れかは、第三案内槽をさらに有する。
第三連結棒と第四ケーブルマネジメントアームは、第三案内部材により、第三案内槽内に移動可能に取り付けられ、相対するように移動する。
これにより、第四ケーブルマネジメントアームの第三ケーブルマネジメントアームに対する展開角度は、第三連結棒により、予定の範囲内に保持される。
【００１５】
好ましくは、第三連結棒の第二部分は、第三案内槽の予定位置に係止部位を形成する。
これにより、第三案内部材は、第三案内槽内で移動し、且つ移動範囲は、第三連結棒の第一部分と第三連結棒の第二部分との間である。
【００１６】
本発明によるケーブルマネジメントデバイスは、一対のスライドレールキットに用いる。
ケーブルマネジメントデバイスは、第一ケーブルマネジメントアーム、第二ケーブルマネジメントアーム、第三ケーブルマネジメントアーム、第一連結棒、及び第二連結棒を有する。
第一ケーブルマネジメントアームは、第一端部及び第二端部を有し、各スライドレールキットにそれぞれ連結する。
第二ケーブルマネジメントアームは、第一端部及び第二端部を有し、第二ケーブルマネジメントアームの第一端部は、前記第一ケーブルマネジメントアームの第一端部に移動可能に連結される。
第三ケーブルマネジメントアームは、第二ケーブルマネジメントアームの第二端部に移動可能に連結される。
第一ケーブルマネジメントアームと第二ケーブルマネジメントアームとの間に設置される第一連結棒をさらに有し、第一連結棒は、第一部分及び第二部分を有する。
第一部分は、第一ケーブルマネジメントアームと第二ケーブルマネジメントアームの内の何れか一方と連結し、第二部分は、第一ケーブルマネジメントアームと第二ケーブルマネジメントアームの内の何れか他方と連動する。
これにより、第二ケーブルマネジメントアームの第一ケーブルマネジメントアームに対する展開角度は、第一連結棒により、予定の範囲内に保持される。
第二ケーブルマネジメントアームと第三ケーブルマネジメントアームとの間に設置される第二連結棒をさらに有し、第二連結棒は、第一部分及び第二部分を有する。
第二連結棒の第一部分は、第二ケーブルマネジメントアームと第三ケーブルマネジメントアームの内の何れか一方と連結し、第二連結棒の第二部分は、第二ケーブルマネジメントアームと第三ケーブルマネジメントアームの何れか他方と連動する。
【００１７】
本発明によるケーブルマネジメントデバイスラック式システムに適用する。
ラック式システムは、一対のスライドレールキットを提供し、これにより搭載物をラックの二対のラック柱に取り付ける。
各スライドレールキットは、第一レール、縦方向に第一レールに相対して移動する第二レールを有する。
各スライドレールキットの第一レールは、対応する一対のラック柱に設置され、各スライドレールキットの第二レールには、搭載物を取り付ける。
ケーブルマネジメントデバイスは、第一ケーブルマネジメントアーム、第二ケーブルマネジメントアーム、第三ケーブルマネジメントアーム、及び第四ケーブルマネジメントアームを有する。
第一ケーブルマネジメントアームは、対応する第一端部と第二端部を有する。
第一端部と第二端部は、各スライドレールキットの第一レールにそれぞれ連結される。
第二ケーブルマネジメントアームは、対応する第一端部と第二端部を有する。
第二ケーブルマネジメントアームの第一端部は、第一ケーブルマネジメントアームの第一端部に移動可能に連結される。
第三ケーブルマネジメントアームは、対応する第一端部と第二端部を有する。
第三ケーブルマネジメントアームの第二端部は、第二ケーブルマネジメントアームの第二端部に移動可能に連結される。
第四ケーブルマネジメントアームは、対応する第一端部と第二端部を有する。
第四ケーブルマネジメントアームの第一端部は、第三ケーブルマネジメントアームの第一端部に移動可能に連結される。
第四ケーブルマネジメントアームの第二端部は、対のスライドレールキットの第二レールの内の何れかと搭載物の内の何れかに連結する。
【００１８】
本発明ケーブルマネジメントデバイスは二節以上のケーブルマネジメントアームを有し、相互に移動可能に連結する。これらケーブルマネジメントアームの内の二個のケーブルマネジメントアームの間には連結棒を配置し、連結棒により二個のケーブルマネジメントアームは相互に対応するように予定の移動範囲内に保持される効果を有する。  
【図面の簡単な説明】
【００１９】
【図１】本発明の一実施形態によるケーブルマネジメントデバイスをラック式システムに適用し、且つケーブルマネジメントデバイスがスライドレールキットの第二レールにより第一レールに対して引き出され、展開の状態を呈する模式図である。
【図２】図１に示すケーブルマネジメントデバイスの収納の状態を示す模式図である。
【図３】本発明の一実施形態によるケーブルマネジメントデバイスの第一ケーブルマネジメントアームが一対のスライドレールキットの第一レールに連結し、及び第四ケーブルマネジメントアームの一部位がその内の一つのスライドレールキットの第二レールの補助部材に連結する分解模式図である。
【図４】本発明の一実施形態によるケーブルマネジメントデバイスの分解模式図である。
【図４Ａ】本発明の一実施形態の係止部材及び弾性片の分解模式図である。
【図５】本発明の一実施形態の一対のスライドレールキットが収納状態にある時、ケーブルマネジメントデバイスが収納の状態にあることを示す模式図である。
【図６】本発明の一実施形態の搭載物が一対のスライドレールキットによりラック内から一位置まで引き出された時、ケーブルマネジメントデバイスが徐々に展開の状態を呈することを示す模式図である。
【図７】本発明の一実施形態の搭載物がさらにラック内から引き出された時、ケーブルマネジメントデバイスがさらに展開することを示す模式図である。
【図８】本発明の一実施形態によるケーブルマネジメントデバイスが収納状態を呈し、且つ裏返されることを示す模式図である。
【図９】図８のケーブルマネジメントデバイスが裏返された後、各ケーブルマネジメントアームが上下逆さまの状態を呈する模式図である。
【図１０】図９のケーブルマネジメントデバイスが裏返された後、第一ケーブルマネジメントアーム上の係止部材及び第一ケーブルマネジメントアームの第一端部の第一連結部材が取り外された様子を示す模式図である。
【図１１】図１０のケーブルマネジメントデバイスが裏返された後、係止部材を第四ケーブルマネジメントアームに取り付け、及び第一ケーブルマネジメントアームの第一連結部材を第四ケーブルマネジメントアームの第一端部に取り付ける様子を示す模式図であり、第四ケーブルマネジメントアームが一対のスライドレールキットの第一レールに連結し、且つ第一ケーブルマネジメントアームの一部位がその内の一つのスライドレールキットの第二レールの補助部材に連結することを示す。
【図１２】ケーブルマネジメントデバイスの第一ケーブルマネジメントアームが第一スライドレールキットに連結され、且つケーブルマネジメントデバイスが第一スライドレールキットの第二レールに従い、第一レールに相対して移動し展開状態を呈することを示す模式図である。
【発明を実施するための形態】
【００２０】
（一実施形態）
本発明の一実施形態によるケーブルマネジメントデバイスを図面に基づいて説明する。
図１に示す本発明一実施形態によるケーブルマネジメントデバイス２０ラック式システムに適用する。
ラック式システムは、搭載物２２をラック（ｒａｃｋ）２４に取り付けることができる。
搭載物２２は、電子設備のシャーシ（ｃｈａｓｓｉｓ）或いは被搭載対象であるが、実施においては制限されない。
【００２１】
搭載物２２の両側は、一対のスライドレールキットによりラック２４の二対のラック柱に取り付けられる。
具体的には、搭載物２２の一側は、第一スライドレールキット２６により第一ラック柱２８ａと第二ラック柱２８ｂなどの一対のラック柱に取り付けられる。
搭載物２２のもう一つの側は、第二スライドレールキット３０により、第一ラック柱３２ａと第二ラック柱３２ｂなどのもう一対のラック柱に取り付けられる。
【００２２】
第一スライドレールキット２６と第二スライドレールキット３０はともに、第一レール３４、縦方向に第一レール３４に相対して移動する第二レール３６を有する。
好ましくは、第一レール３４と第二レール３６との間に移動可能に連結する第三レール３８をさらに有し、第二レール３６の第一レール３４に対する移動行程を延長する。
各スライドレールキットの第一レール３４は、対応する一対のラック柱にそれぞれ設置され、且つ各スライドレールキットの第二レール３６には、搭載物２２が取り付けられる。
【００２３】
上述の配置に基づき、搭載物２２は、ラック内からラック外へと引き出され、或いはラック外からラック内へと引き入れられる。
ケーブルマネジメントデバイス２０には、搭載物２２後方のケーブル（ｃａｂｌｅｓ）（図示なし）を置き、或いは收納することができる。
且つケーブルマネジメントデバイス２０は、第二レール３６に従い、第一レール３４に対して引き出され、展開の状態を呈する。
或いは図２に示すとおり、ケーブルマネジメントデバイス２０は、第二レール３６に従い、第一レール３４に対して収納され、まとまった状態を呈する。
【００２４】
図３に示すとおり、ケーブルマネジメントデバイス２０は、少なくとも二個以上のケーブルマネジメントアームを有する。
例えば、第一ケーブルマネジメントアーム１００、第二ケーブルマネジメントアーム２００、第三ケーブルマネジメントアーム３００、及び第四ケーブルマネジメントアーム４００などであるが、これに制限されない。
これらケーブルマネジメントアーム１００、２００、３００、４００はまとまった状態である時には、相互間は重なり、こうしてラック２４内には多くの空間が生まれ、他に運用することができる。
【００２５】
好ましくは、第一スライドレールキット２６と第二スライドレールキット３０の内の一つの第二レール３６に取り付けられる補助部材４０をさらに有する。
補助部材４０は、延長台４２及び少なくとも一つの連結部を有する。
例えば、第一連結部４４ａ、延長台４２に連結する第二連結部４４ｂである。
延長台４２は、一高度を有する。
第一連結部４４ａと第二連結部４４ｂとは、異なる方向に向かい、これにより延長台４２は第一スライドレールキット２６と第二スライドレールキット３０に同時に適用される。
第一連結部４４ａは、延長台４２の高度により、第四ケーブルマネジメントアーム４００に対応する。
【００２６】
図３と図４に示すとおり、第一ケーブルマネジメントアーム１００、第二ケーブルマネジメントアーム２００、第三ケーブルマネジメントアーム３００、及び第四ケーブルマネジメントアーム４００はすべて、対応する二個の部位を有し、ここでは、第一端部２０ａと第二端部２０ｂを例とする。
各ケーブルマネジメントアームの第一端部２０ａと第二端部２０ｂとの間には、収容空間Ｓなどのケーブルマネジメント特徴を有する。
或いは、各ケーブルマネジメントアームの第一端部２０ａと第二端部２０ｂとの間には、間隔を開けて配列する複数のケーブルマネジメント特徴を設置する。
ケーブルマネジメント特徴は、ケーブルを収納、整理することができる。
【００２７】
第一ケーブルマネジメントアーム１００の第一端部２０ａと第二端部２０ｂとは、各スライドレールキット（例えば、第一スライドレールキット２６と第二スライドレールキット３０）の第一レール３４にそれぞれ連結される。
【００２８】
本実施形態では、第一ケーブルマネジメントアーム１００の第一端部２０ａと第二端部２０ｂの少なくとも一つは、取り外し可能なように第一連結部材４６が取り付けられる。
ここでは、第一ケーブルマネジメントアーム１００の第一端部２０ａと第二端部２０ｂはともに、第一連結部材４６により各スライドレールキットの第一レール３４の後部に設置される連結座３５にそれぞれ連結される。
或いは、図示がない別種の実施形態では、第一ケーブルマネジメントアーム１００の第一端部２０ａと第二端部２０ｂとは、第一連結部材４６によりラックの二個のラック柱（第二ラック柱２８ｂ、３２ｂなど）にそれぞれ連結されるが、実施においては制限されない。
【００２９】
第二ケーブルマネジメントアーム２００は、第一ケーブルマネジメントアーム１００に移動可能に連結される。
例えば、第二ケーブルマネジメントアーム２００の第一端部２０ａは、第一ケーブルマネジメントアーム１００の第一端部２０ａの上方に移動可能に連結される。
第二ケーブルマネジメントアーム２００の第一端部２０ａは、第一枢接部材４８により、第一ケーブルマネジメントアーム１００の第一端部２０ａの上方に枢接される。
これにより、第二ケーブルマネジメントアーム２００は、第一ケーブルマネジメントアーム１００より高い位置に配置される（ａｒｒａｎｇｅｄ  ｔｏ）。
【００３０】
第三ケーブルマネジメントアーム３００は、第二ケーブルマネジメントアーム２００に移動可能に連結される。
例えば、第三ケーブルマネジメントアーム３００の第二端部２０ｂは、第二ケーブルマネジメントアーム２００の第二端部２０ｂの上方に移動可能に連結される。
第三ケーブルマネジメントアーム３００の第二端部２０ｂは、第二枢接部材５０により、第二ケーブルマネジメントアーム２００の第二端部２０ｂの上方に枢接される。
これにより、第三ケーブルマネジメントアーム３００は、第二ケーブルマネジメントアーム２００より高い位置に配置される。
【００３１】
第四ケーブルマネジメントアーム４００は、第三ケーブルマネジメントアーム３００に移動可能に連結される。
例えば、第四ケーブルマネジメントアーム４００の第一端部２０ａは、第三ケーブルマネジメントアーム３００の第一端部２０ａの上方に移動可能に連結される。
第四ケーブルマネジメントアーム４００の第一端部２０ａは第三枢接部材５２により、第三ケーブルマネジメントアーム３００の第一端部２０ａの上方に枢接される。
これにより、第四ケーブルマネジメントアーム４００は、第三ケーブルマネジメントアーム３００より高い位置に配置される。
【００３２】
また、第四ケーブルマネジメントアーム４００の第二端部２０ｂは、その内の一つのスライドレールキット（例えば、第一スライドレールキット２６或いは第二スライドレールキット３０）の第二レール３６或いは搭載物２２の内の一つに連結される。
ここでは、第四ケーブルマネジメントアーム４００の第二端部２０ｂは、第二連結部材５４を取り外し可能なようにさらに取り付ける。
第四ケーブルマネジメントアーム４００の第二端部２０ｂは、第二連結部材５４により、第二スライドレールキット３０の第二レール３６（視角の関係で、図３中には図示がない）の補助部材４０の第一連結部４４ａに連結される。
これにより、第四ケーブルマネジメントアーム４００は、第二スライドレールキット３０の第二レール３６の第一レール３４に対する移動に従い連動する。
【００３３】
好ましくは、ケーブルマネジメントデバイス２０は、少なくとも一つの連結棒をさらに有する。
これにより、これらケーブルマネジメントアーム１００、２００、３００、４００中の任意の二個の相互に連結するケーブルマネジメントアームの相互間は、予定の移動範囲内に保持される。
ここでは、第一連結棒１５０、第二連結棒２５０、及び第三連結棒３５０を例とする。
【００３４】
第一連結棒１５０は、第一ケーブルマネジメントアーム１００と第二ケーブルマネジメントアーム２００との間に設置される。
本実施形態では、第一連結棒１５０は、第一部分１５２及び第二部分１５４を有する。
第一部分１５２は、第一ケーブルマネジメントアーム１００と第二ケーブルマネジメントアーム２００の内の何れか一方に（第一ケーブルマネジメントアーム１００など）に枢接される。
第二部分１５４は、第一ケーブルマネジメントアーム１００と第二ケーブルマネジメントアーム２００の他方（第二ケーブルマネジメントアーム２００など）と連動する。
これにより、第二ケーブルマネジメントアーム２００は、第一ケーブルマネジメントアーム１００の展開角度に対して、第一連結棒１５０により予定の範囲内に保持される。
【００３５】
具体的には、第一連結棒１５０と第二ケーブルマネジメントアーム２００の内の一つは、第一案内槽１５６をさらに有する。
また、第一連結棒１５０と第二ケーブルマネジメントアーム２００の内の一つに設置される第一案内部材１５８をさらに有する。
ここでは、第一連結棒１５０は、第一案内槽１５６を有し、第一案内部材１５８は第二ケーブルマネジメントアーム２００に設置され、及び第一案内部材１５８は、移動可能に第一案内槽１５６内に取り付けられることを例とする。
【００３６】
これにより、第一連結棒１５０と第二ケーブルマネジメントアーム２００は、第一案内部材１５８により、第一案内槽１５６内に移動可能に取り付けられ、相対するように可動する。
また、第二部分１５４は、第一案内槽１５６の予定位置に係止部位を形成する。
例えば、第二部分１５４は、第一連結棒１５０の第一部分１５２から離れた位置に位置され、これにより第一案内部材１５８は、第一案内槽１５６内で移動でき、且つ移動範囲は、第一部分１５２と第二部分１５４との間となる。
【００３７】
第二連結棒２５０は、第二ケーブルマネジメントアーム２００と第三ケーブルマネジメントアーム３００との間に設置される。
本実施形態では、第二連結棒２５０は、第一部分２５２及び第二部分２５４を有する。
第一部分２５２は、第二ケーブルマネジメントアーム２００と第三ケーブルマネジメントアーム３００の内の何れか（例えば、第二ケーブルマネジメントアーム２００）に連結、例えば枢接される。
第二部分２５４は、第二ケーブルマネジメントアーム２００と第三ケーブルマネジメントアーム３００のもう一つ（例えば、第三ケーブルマネジメントアーム３００）に連動される。
これにより、第三ケーブルマネジメントアーム３００は、第二ケーブルマネジメントアーム２００の展開角度に相対し、第二連結棒２５０により、予定の範囲内に保持される。
【００３８】
具体的には、第二連結棒２５０と第三ケーブルマネジメントアーム３００の内の一つは、第二案内槽２５６をさらに有する。
また、第二連結棒２５０と第三ケーブルマネジメントアーム３００の内の一つに設置される第二案内部材２５８をさらに有する。
ここでは、第二連結棒２５０は、第二案内槽２５６を有し、第二案内部材２５８は、第三ケーブルマネジメントアーム３００に設置され、及び第二案内部材２５８は第二案内槽２５６内に移動可能に取り付けられることを例とする。
【００３９】
これにより、第二連結棒２５０と第三ケーブルマネジメントアーム３００は、第二案内部材２５８により、第二案内槽２５６内に移動可能に取り付けられ、相対するように移動する。
また、第二部分２５４は、第二案内槽２５６の予定位置に係止部位を形成する。
例えば、第二部分２５４は、第二連結棒２５０の第一部分２５２から離れた位置に位置され、これにより第二案内部材２５８は、第二案内槽２５６内で移動し、且つ移動範囲は、第一部分２５２と第二部分２５４との間である。
【００４０】
第三連結棒３５０は、第三ケーブルマネジメントアーム３００と第四ケーブルマネジメントアーム４００との間に設置される。
本実施形態では、第三連結棒３５０は、第一部分３５２及び第二部分３５４を有する。
第一部分３５２は、第三ケーブルマネジメントアーム３００と第四ケーブルマネジメントアーム４００の内の何れか一方（例えば、第三ケーブルマネジメントアーム３００）と連結（例えば枢接）する。
第二部分３５４は、第三ケーブルマネジメントアーム３００と第四ケーブルマネジメントアーム４００の何れか他方（例えば、第四ケーブルマネジメントアーム４００）と連動する。
これにより、第四ケーブルマネジメントアーム４００の、第三ケーブルマネジメントアーム３００に対する展開角度は、第三連結棒３５０により、予定の範囲内に保持される。
【００４１】
具体的には、第三連結棒３５０と第四ケーブルマネジメントアーム４００の内の何れかは、第三案内槽３５６をさらに有する。
また、第三連結棒３５０と第四ケーブルマネジメントアーム４００の内の何れかに設置される第三案内部材３５８をさらに有する。
ここでは、第三連結棒３５０は、第三案内槽３５６を有し、第三案内部材３５８に設置される第四ケーブルマネジメントアーム４００、及び第三案内部材３５８を第三案内槽３５６に移動可能に取り付けることを例とする。
【００４２】
これにより、第三連結棒３５０と第四ケーブルマネジメントアーム４００は、第三案内部材３５８により、第三案内槽３５６内に移動可能に取り付けられ、相対するように移動する。
また、第二部分３５４は、第三案内槽３５６の予定位置に係止部位を形成する。
例えば、第二部分３５４は、第三連結棒３５０の第一部分３５２から離れた位置に位置される。
これにより、第三案内部材３５８は、第三案内槽３５６内で移動でき、且つ移動範囲は、第一部分３５２と第二部分３５４との間となる。
【００４３】
また、ケーブルマネジメントデバイス２０は、係止部材５６、及び係止部材５６に設置される弾性片５８をさらに有する。
係止部材５６は、一高度を有する。
係止部材５６の高度は、第一ケーブルマネジメントアーム１００と第二ケーブルマネジメントアーム２００の重なった高度に少なくとも対応する。
ここでは、係止部材５６の高度は、第一ケーブルマネジメントアーム１００、第二ケーブルマネジメントアーム２００、第三ケーブルマネジメントアーム３００の重なった高度を例とする。
係止部材５６は、第二ケーブルマネジメントアーム２００、第三ケーブルマネジメントアーム３００、第四ケーブルマネジメントアーム４００において、第一ケーブルマネジメントアーム１００が移動してまとまる時、第二ケーブルマネジメントアーム２００と第三ケーブルマネジメントアーム３００に係止作用を提供することができる。
但し、係止部材５６が提供する係止作用は、実際の必要に応じて、適当な高度を選択するが、実施においては制限されない。
【００４４】
具体的には、係止部材５６は、取り外し可能なように（ｄｅｔａｃｈａｂｌｅｌｙ）第一ケーブルマネジメントアーム１００と第四ケーブルマネジメントアーム４００の内の何れか一つに取り付けられる。
ここでは、先ず、係止部材５６を第一ケーブルマネジメントアーム１００に取り付けることを例とする。
さらに、第一ケーブルマネジメントアーム１００と第四ケーブルマネジメントアーム４００は共に、係止部材５６を取り付ける複数の取付部６０を有する。
係止部材５６は、複数の孔６２を有する。
【００４５】
図４と図４Ａに示すとおり、弾性片５８は、複数の孔６２の内の一つに対応する。
具体的には、各孔６２は、例えば大径孔部６４と小径孔部６６を有し、相互に連通し、カギ孔に類似する。
弾性片５８は、複数の孔６２の内の一つの大径孔部６４と小径孔部６６とが交わる位置に設置される係止壁６８を有する。
【００４６】
この設置により、組み立て時には、係止部材５６の各孔６２の大径孔部６４には、第一ケーブルマネジメントアーム１００の各取付部６０を通し、各孔６２の小径孔部６６へと移動した後、弾性片５８の係止壁６８を通して、その内の一つの取付部６０を係止する。
この時、係止部材５６は、第一ケーブルマネジメントアーム１００に迅速に取り付けられる。
係止部材５６を、第一ケーブルマネジメントアーム１００から取り外す場合には、弾性片５８を外すだけで、弾性片５８の係止壁６８は、取付部６０への係止を解除する。
こうして、係止部材５６は、第一ケーブルマネジメントアーム１００から迅速に取り外される。
【００４７】
図５は、第一スライドレールキット２６と第二スライドレールキット３０とが収納状態にある時、ケーブルマネジメントデバイス２０が収納の状態にあることを示す。
【００４８】
図６は、搭載物２２が、第二レール３６により第一レール３４に対して方向Ｄへとラック２４内から引き出され移動する過程において、ケーブルマネジメントデバイス２０の第四ケーブルマネジメントアーム４００が連動し、第三ケーブルマネジメントアーム３００に対して移動し、且つ徐々に展開することを示す。
【００４９】
図７は、搭載物２２がさらに方向Ｄへと引き出される過程において、ケーブルマネジメントデバイス２０が展開の状態にあることを示す。
具体的には、その過程では、第四ケーブルマネジメントアーム４００はさらに連動し、第三ケーブルマネジメントアーム３００と第二ケーブルマネジメントアーム２００により、順番に連動し、第一ケーブルマネジメントアーム１００に対して移動する。
【００５０】
これらケーブルマネジメントアーム１００、２００、３００、４００により、ケーブルマネジメントデバイス２０は一般の二節式ケーブルマネジメントアームに比べ、より長い展開行程を有する。
第一連結棒１５０、第二連結棒２５０、及び第三連結棒３５０により、第一ケーブルマネジメントアーム１００と第二ケーブルマネジメントアーム２００、第二ケーブルマネジメントアーム２００と第三ケーブルマネジメントアーム３００、及び第三ケーブルマネジメントアーム３００と第四ケーブルマネジメントアーム４００との相互間は、予定の移動範囲内に保持される。
ここでは、相互に枢接する二つずつのケーブルマネジメントアームの回転角度は、相互の間の連結棒設置により、予定の移動範囲内に保持される。
これにより、これらケーブルマネジメントアーム１００、２００、３００、４００の相互間は、予定の移動範囲内において回転し偏移する。
【００５１】
例えば、第四ケーブルマネジメントアーム４００が第三ケーブルマネジメントアーム３００に対して移動し展開すると、第四ケーブルマネジメントアーム４００の第三案内部材３５８は、第三連結棒３５０の第三案内槽３５６内で第三連結棒３５０の第二部分３５４に係止されるまで移動する。
この時、第三案内部材３５８は第三案内槽３５６内での移動を継続できず、第四ケーブルマネジメントアーム４００の第三ケーブルマネジメントアーム３００に対する移動範囲は限界に至り、第三ケーブルマネジメントアーム３００に対して展開を継続することはできない。
【００５２】
例えば、本実施形態中の第四ケーブルマネジメントアーム４００が第三ケーブルマネジメントアーム３００対して移動する時の回転角度は、第三連結棒３５０により、予定の移動範囲内に保持される。
同じ理由で、第三ケーブルマネジメントアーム３００の第二ケーブルマネジメントアーム２００に対する移動範囲もまた、第二連結棒２５０により、予定の移動範囲内に保持される。
【００５３】
例えば、第三ケーブルマネジメントアーム３００が第二ケーブルマネジメントアーム２００に対して移動する時の回転角度は、第二連結棒２５０により、予定の移動範囲内に保持される。
及び第二ケーブルマネジメントアーム２００が第一ケーブルマネジメントアーム１００に対して移動する範囲は、第一連結棒１５０により、予定の移動範囲内に保持される。
例えば、第二ケーブルマネジメントアーム２００の第一ケーブルマネジメントアーム１００に対する移動時の回転角度は、第一連結棒１５０により、予定の移動範囲内に保持される。
【００５４】
上述の取付方式とは異なり、図８と図９に示すとおり、使用者はケーブルマネジメントデバイス２０を、例えば１８０度回転させる。
これにより、第一ケーブルマネジメントアーム１００は、最底層から最上層となり、第四ケーブルマネジメントアーム４００は最上層から最下層となる。
【００５５】
図１０と図１１にさらに示すとおり、さらに係止部材５６を第一ケーブルマネジメントアーム１００の取付部６０から取り外し、且つ第四ケーブルマネジメントアーム４００の取付部６０に取り付ける。
また、第一ケーブルマネジメントアーム１００の第一端部２０ａの第一連結部材４６を、第一ケーブルマネジメントアーム１００から取り外し、且つ第四ケーブルマネジメントアーム４００の第一端部２０ａに取り付ける。
これにより、第四ケーブルマネジメントアーム４００の第一端部２０ａと第二端部２０ｂとを、第二スライドレールキット３０と第一スライドレールキット２６の第一レール３４にそれぞれ取り付ける。
且つ第一ケーブルマネジメントアーム１００の第二端部２０ｂは、第一スライドレールキット２６の第二レール３６の補助部材４０の第一連結部４４ａに取り付けられる。
言い換えれば、本発明のケーブルマネジメントデバイス２０は、第一スライドレールキット２６との連結展開、或いは第二スライドレールキット３０との連結展開（図３参照）に適用でき、左、右を互換可能なケーブルマネジメント機能を有する。
【００５６】
図１２に示すとおり、ケーブルマネジメントデバイス２０の第一ケーブルマネジメントアーム１００は、第二端部２０ｂにより、第一スライドレールキット２６の第二レール３６に従い、連動し第一レール３４に対して移動する。
これにより、ケーブルマネジメントデバイス２０は、展開状態を呈する。
【００５７】
本発明の実施形態は前述したとおりであるが、前述は本発明に制約を加えるものではない。よって、本発明の保護される範囲は、特許請求の範囲を基準とすることをここに明記する。
【符号の説明】
【００５８】
２０  ケーブルマネジメントデバイス、
２０ａ  第一端部、
２０ｂ  第二端部、
２２  搭載物、
２４  ラック、
２６  第一スライドレールキット、
２８ａ  第一ラック柱、
２８ｂ  第二ラック柱、
３０  第二スライドレールキット、
３２ａ  第一ラック柱、
３２ｂ  第二ラック柱、
３４  第一レール、
３５  連結座、
３６  第二レール、
３８  第三レール、
４０  補助部材、
４２  延長台、
４４ａ  連結部、
４４ｂ  第二連結部、
４６  連結部材、
４８  第一枢接部材、
５０  第二枢接部材、
５２  第三枢接部材、
５４  第二連結部材、
５６  係止部材、
５８  弾性片、
６０  取付部、
６２  孔、
６４  大径孔部、
６６  小径孔部、
６８  係止壁、
１００  第一ケーブルマネジメントアーム、
１５０  第一連結棒、
１５２  第一部分、
１５４  第二部分、
１５６  第一案内槽、
１５８  第一案内部材、
２００  第二ケーブルマネジメントアーム、
２５０  第二連結棒、
２５２  第一部分、
２５４  第二部分、
２５６  第二案内槽、
２５８  第二案内部材、
３００  第三ケーブルマネジメントアーム、
３５０  第三連結棒、
３５２  第一部分、
３５４  第二部分、
３５６  第三案内槽、
３５８  第三案内部材、
４００  第四ケーブルマネジメントアーム、
Ｄ  方向、
Ｓ  収容空間。
【図１】
2016213433.tif 000003
【図２】
2016213433.tif 000004
【図３】
2016213433.tif 000005
【図４】
2016213433.tif 000006
【図４Ａ】
2016213433.tif 000007
【図５】
2016213433.tif 000008
【図６】
2016213433.tif 000009
【図７】
2016213433.tif 000010
【図８】
2016213433.tif 000011
【図９】
2016213433.tif 000012
【図１０】
2016213433.tif 000013
【図１１】
2016213433.tif 000014
【図１２】
2016213433.tif 000015